(57)【要約】【解決手段】  ＢＳＳチャネル内で送信される複数の信号を生成する方法であって、一連のコンポーネントチャネルは、合計で、ＢＳＳチャネルと同一範囲であり、当該方法は、低帯域幅モードデータユニットの周波数における第１の複製がＢＳＳチャネルのエッジに配置されると判断する段階を備える。複製はそれぞれ、ＯＦＤＭトーンを含み、コンポーネントチャネルのうち最も帯域幅が狭いチャネルよりも狭い帯域幅を持つ。それぞれの複製のＯＦＤＭトーンは、１または複数のデータトーン、１または複数のパイロットトーン、および、１または複数のガードトーンを含む。当該方法はさらに、第１の複製がＢＳＳチャネルのエッジに配置されると判断する段階に応じて、少なくとも部分的に、少なくとも一のデータトーンをスケーリングダウンすること、および／または、第１の複製の少なくとも１つのデータトーンをゼロ設定することによって、複製を含む送信信号を生成する段階を備える。【選択図】  図７
2015512210.tif 000002
【特許請求の範囲】
【請求項１】
ベーシックサービスセット（ＢＳＳ）チャネル帯域幅を持つＢＳＳチャネル内で送信される複数の信号を生成する方法であって、一連の１または複数のコンポーネントチャネルは、合計で、前記ＢＳＳチャネルと同一範囲であり、前記方法は、
低帯域幅モードデータユニットの周波数における１または複数の複製のうち第１の複製が前記ＢＳＳチャネルのエッジに配置されると判断する段階と
前記１または複数の複製を含む第１の送信信号を生成する段階と
を備え、
前記１または複数の複製はそれぞれ、（ｉ）複数の直交周波数分割多重（ＯＦＤＭ）トーンを含み、（ｉｉ）前記一連の１または複数のコンポーネントチャネルにおける最も帯域幅が狭いチャネルよりも狭い帯域幅を持ち、
前記１または複数の複製のそれぞれにおける前記複数のＯＦＤＭトーンは、１または複数のデータトーン、１または複数のパイロットトーン、および、１または複数のガードトーンを含み、
前記第１の送信信号を生成する段階は、前記第１の複製が前記ＢＳＳチャネルの前記エッジに配置されると判断する段階に応じて、（ｉ）前記第１の複製の少なくとも一のデータトーンをスケーリングダウンすること、および、（ｉｉ）前記第１の複製の少なくとも１つのデータトーンをゼロ設定することのうち一方または両方を実行する段階を有する方法。
【請求項２】
通常モードデータユニットを含む第２の送信信号を生成する段階をさらに備え、
前記通常モードデータユニットは、帯域幅が前記ＢＳＳチャネル帯域幅に等しい請求項１に記載の方法。
【請求項３】
前記第１の送信信号を生成する段階は、３２ポイントの逆高速フーリエ変換（ＩＦＦＴ）を用いて前記１または複数の複製のそれぞれを生成する段階を有し、
前記第２の送信信号を生成する段階は、６４ポイント、１２８ポイントまたは２５６ポイントのＩＦＦＴを用いて前記通常モードデータユニットを生成する段階を有する請求項２に記載の方法。
【請求項４】
前記低帯域幅モードデータユニットの前記１または複数の複製を含む前記第１の送信信号を生成する段階は、前記低帯域幅モードデータユニットの２個または２個を超える複製を生成する段階を有し、
前記２個または２個を超える複製は、少なくとも前記第１の複製および第２の複製を含む請求項１から３の何れか１項に記載の方法。
【請求項５】
前記方法はさらに、
前記第２の複製は前記ＢＳＳチャネルの上側エッジに配置されると判断する段階を備え、
前記低帯域幅モードデータユニットの前記１または複数の複製のうち前記第１の複製が前記ＢＳＳチャネルの前記エッジに配置されると判断する段階は、前記第１の複製が前記ＢＳＳチャネルの下側エッジに配置されると判断する段階を有し、
前記第１の送信信号を生成する段階は、前記第１の複製が前記ＢＳＳチャネルの前記下側エッジに配置されると判断する段階、および、前記第２の複製が前記ＢＳＳチャネルの前記上側エッジに配置されると判断する段階に応じて、（ｉ）前記第１の複製の少なくとも最も低い周波数のデータトーンおよび前記第２の複製の少なくとも最も高い周波数のデータトーンをスケーリングダウンする段階、または、（ｉｉ）前記第１の複製の少なくとも前記最も低い周波数のデータトーンおよび前記第２の複製の少なくとも前記最も高い周波数のデータトーンをゼロ設定する段階を有する請求項４に記載の方法。
【請求項６】
前記２個または２個を超える複製は、合計で、前記ＢＳＳチャネルと同一範囲である請求項４または５に記載の方法。
【請求項７】
前記一連の１または複数のコンポーネントチャネルのうち一のチャネルは、一次チャネルと指定され、
前記２個または２個を超える複製は、合計で、前記一次チャネルと同一範囲である請求項４から６の何れか１項に記載の方法。
【請求項８】
前記２個または２個を超える複製を含む前記第１の送信信号を生成する段階は、前記２個または２個を超える複製のそれぞれの複製を異なる位相回転乗数で乗算する段階を有する請求項４から７の何れか１項に記載の方法。
【請求項９】
前記低帯域幅モードデータユニットの１または複数の複製を含む前記第１の送信信号を生成する段階は、前記低帯域幅モードデータユニットの前記第１の複製から成る前記第１の送信信号を生成する段階を有する請求項１から８の何れか１項に記載の方法。
【請求項１０】
低帯域幅モードデータユニットの周波数における１または複数の複製のうち第１の複製がベーシックサービスセット（ＢＳＳ）チャネル帯域幅を持つＢＳＳチャネル内のエッジに配置されると判断し、
前記１または複数の複製を含む第１の送信信号を生成する
ネットワークインターフェースを備え、
一連の１または複数のコンポーネントチャネルは、合計で、前記ＢＳＳチャネルと同一範囲であり、
前記１または複数の複製はそれぞれ、（ｉ）複数の直交周波数分割多重（ＯＦＤＭ）トーンを含み、（ｉｉ）前記一連の１または複数のコンポーネントチャネルにおける最も帯域幅が狭いチャネルよりも狭い帯域幅を持ち、
前記１または複数の複製のそれぞれにおける前記複数のＯＦＤＭトーンは、１または複数のデータトーン、１または複数のパイロットトーン、および、１または複数のガードトーンを含み、
前記ネットワークインターフェースは、
前記第１の複製が前記ＢＳＳチャネルのエッジに配置されると判断することに応じて、（ｉ）前記第１の複製の少なくとも１つのデータトーンをスケーリングダウンすること、および、（ｉｉ）前記第１の複製の少なくとも１つのデータトーンをゼロ設定することのうち一方または両方を実行することに少なくとも部分的によって、前記第１の送信信号を生成する装置。
【請求項１１】
前記ネットワークインターフェースはさらに、
通常モードデータユニットを含む第２の送信信号を生成し、
前記通常モードデータユニットは、帯域幅が前記ＢＳＳチャネル帯域幅に等しい請求項１０に記載の装置。
【請求項１２】
前記ネットワークインターフェースは、
少なくとも部分的に、３２ポイントの逆高速フーリエ変換（ＩＦＦＴ）を用いて前記１または複数の複製のそれぞれを生成することによって前記第１の送信信号を生成し、
少なくとも部分的に、６４ポイント、１２８ポイントまたは２５６ポイントのＩＦＦＴを用いて前記通常モードデータユニットを生成することによって前記第２の送信信号を生成する請求項１１に記載の装置。
【請求項１３】
前記ネットワークインターフェースは、前記低帯域幅モードデータユニットの２個または２個を超える複製を生成し、
前記２個または２個を超える複製は、少なくとも前記第１の複製および第２の複製を含む請求項１０から１２の何れか１項に記載の装置。
【請求項１４】
前記２個または２個を超える複製は、合計で、前記ＢＳＳチャネルと同一範囲である請求項１３に記載の装置。
【請求項１５】
前記一連の１または複数のコンポーネントチャネルのうち一のチャネルは、一次チャネルと指定され、
前記２個または２個を超える複製は、合計で、前記一次チャネルと同一範囲である請求項１３または１４に記載の装置。
【請求項１６】
前記ネットワークインターフェースはさらに、前記２個または２個を超える複製のそれぞれの複製を異なる位相回転乗数で乗算する請求項１３から１５の何れか１項に記載の装置。
【請求項１７】
ベーシックサービスセット（ＢＳＳ）チャネル帯域幅を持つＢＳＳチャネル内で送信される複数の信号を生成する方法であって、一連のコンポーネントチャネルは、合計で、前記ＢＳＳチャネルと同一範囲であり、前記方法は、
低帯域幅モードデータユニットの周波数における第１の複製を生成する段階と、
前記低帯域幅モードデータユニットの、周波数における、第２の複製を生成する段階と、
前記ＢＳＳチャネルの少なくとも一部分を用いて送信信号を送信する段階と
を備え、
前記第１の複製は、（ｉ）第１の複数の直交周波数分割多重（ＯＦＤＭ）トーンを含み、（ｉｉ）前記一連のコンポーネントチャネルにおける最も帯域幅が狭いチャネルよりも狭い帯域幅を持ち、
前記第１の複数のＯＦＤＭトーンは、第１の一連のデータトーン、第１の一連の下側エッジガードトーンおよび第１の一連の上側エッジガードトーンを含み、
前記第２の複製は、（ｉ）第２の複数のＯＦＤＭトーンを含み、（ｉｉ）前記一連のコンポーネントチャネルにおける前記最も帯域幅の狭いチャネルよりも狭い帯域幅を持ち、
前記第２の複数のＯＦＤＭトーンは、第２の一連のデータトーン、第２の一連の下側エッジガードトーンおよび第２の一連の上側エッジガードトーンを含み、
（ｉ）前記第２の一連のデータトーンは前記第１の一連のデータトーンと等しく、前記第１の一連のデータトーンのうち少なくとも最も高い周波数のデータトーンがスケーリングダウンあるいはゼロ設定されており、または、（ｉｉ）前記第２の一連のデータトーンは前記第１の一連のデータトーンと等しく、前記第１の一連のデータトーンのうち少なくとも最も低い周波数のデータトーンがスケーリングダウンあるいはゼロ設定されており、
前記ＢＳＳチャネルの少なくとも一部分を用いて前記送信信号を送信する段階は、（ｉ）前記ＢＳＳチャネル内の第１のサブバンドを用いて前記第１の複製を送信する段階、および、（ｉｉ）前記ＢＳＳチャネル内の第２のサブバンドを用いて前記第２の複製を送信する段階を有し、
前記ＢＳＳチャネル内の前記第２のサブバンドは、前記ＢＳＳチャネルの上側エッジまたは前記ＢＳＳチャネルの下側エッジに配置されている方法。
【請求項１８】
前記一連のコンポーネントチャネルのうち一のチャネルは、一次チャネルと指定され、
前記ＢＳＳチャネルの前記少なくとも一部分を用いて前記送信信号を送信する段階は、（ｉ）前記一次チャネル内の第１のサブバンドを用いて前記第１の複製を送信する段階、および、（ｉｉ）前記一次チャネル内の第２のサブバンドを介して前記第２の複製を送信する段階を有する請求項１７に記載の方法。
【請求項１９】
前記第１の一連の下側エッジガードトーンに含まれるトーンの数は、前記第１の一連の上側エッジガードトーンに含まれるトーンの数とは異なる請求項１７または１８に記載の方法。
【請求項２０】
前記第１の一連の下側エッジガードトーンに含まれるトーンの数は、前記第１の一連の上側エッジガードトーンに含まれるトーンの数よりも多く、
前記第２の一連のデータトーンは、前記第１の一連のデータトーンと等しく、前記第１の一連のデータトーンのうち少なくとも前記最も高い周波数のデータトーンは、スケーリングダウンまたはゼロ設定され、
前記ＢＳＳチャネル内の前記第２のサブバンドは、前記ＢＳＳチャネルの前記上側エッジに配置されている請求項１９に記載の方法。
【請求項２１】
低帯域幅モードデータユニットの周波数における第１の複製を生成し、
前記低帯域幅モードデータユニットの周波数における第２の複製を生成し、
ベーシックサービスセット（ＢＳＳ）チャネル帯域幅を持つＢＳＳチャネルの少なくとも一部分を用いて、１または複数のアンテナを介して、送信信号を送信する
ネットワークインターフェースを備え、
前記第１の複製は、（ｉ）第１の複数の直交周波数分割多重（ＯＦＤＭ）トーンを含み、（ｉｉ）一連のコンポーネントチャネルにおける最も帯域幅が狭いチャネルよりも狭い帯域幅を持ち、
前記一連のコンポーネントチャネルは、合計で、前記ＢＳＳチャネルと同一範囲であり、
前記第１の複数のＯＦＤＭトーンは、第１の一連のデータトーン、第１の一連の下側エッジガードトーンおよび第１の一連の上側エッジガードトーンを含み、
前記第２の複製は、（ｉ）第２の複数のＯＦＤＭトーンを含み、（ｉｉ）前記一連のコンポーネントチャネルにおける前記最も帯域幅の狭いチャネルよりも狭い帯域幅を持ち、
前記第２の複数のＯＦＤＭトーンは、第２の一連のデータトーン、第２の一連の下側エッジガードトーンおよび第２の一連の上側エッジガードトーンを含み、
（ｉ）前記第２の一連のデータトーンは前記第１の一連のデータトーンと等しく、前記第１の一連のデータトーンのうち少なくとも最も高い周波数のデータトーンがスケーリングダウンあるいはゼロ設定されており、または、（ｉｉ）前記第２の一連のデータトーンは前記第１の一連のデータトーンと等しく、前記第１の一連のデータトーンのうち少なくとも最も低い周波数のデータトーンがスケーリングダウンあるいはゼロ設定されており、
前記ネットワークインターフェースは、少なくとも部分的に、（ｉ）前記ＢＳＳチャネル内の第１のサブバンドを用いて前記第１の複製を送信すること、および、（ｉｉ）前記ＢＳＳチャネル内の第２のサブバンドを用いて前記第２の複製を送信することによって前記送信信号を送信し、
前記ＢＳＳチャネル内の前記第２のサブバンドは、前記ＢＳＳチャネルの上側エッジまたは前記ＢＳＳチャネルの下側エッジに配置されている装置。
【請求項２２】
前記一連のコンポーネントチャネルのうち一のチャネルは、一次チャネルと指定され、
前記ネットワークインターフェースは、少なくとも部分的に、（ｉ）前記一次チャネル内の第１のサブバンドを用いて前記第１の複製を送信すること、および、（ｉｉ）前記一次チャネル内の第２のサブバンドを用いて前記第２の複製を送信することによって、前記ＢＳＳチャネルの前記少なくとも一部分を用いて前記送信信号を送信する請求項２１に記載の装置。
【請求項２３】
前記第１の一連の下側エッジガードトーンに含まれるトーンの数は、前記第１の一連の上側エッジガードトーンに含まれるトーンの数とは異なる請求項２１または２２に記載の装置。
【発明の詳細な説明】
【技術分野】
【０００１】
＜関連出願＞
本願は、米国仮特許出願第６１／５９９，１６６号（発明の名称：「１ＭＨｚ  Ｔｒａｎｓｍｉｓｓｉｏｎ  ｉｎ  Ｗｉｄｅｒ  ＢＷ」、出願日：２０１２年２月１５日）の恩恵を主張する。当該仮出願の開示内容は全て、参照により本願に組み込まれる。
【０００２】
本開示は、概して通信ネットワークに関し、特に長距離低電力ワイヤレスローカルエリアネットワークに関する。
【背景技術】
【０００３】
本明細書に記載する背景技術の説明は、本開示がどのような文脈で為されたかの概要を説明する目的で記載するものである。本願の発明者として名前を挙げているものの研究内容は、この背景技術のセクションに記載されている限りにおいて、出願時に先行技術と認められない部分と同様に、本開示に対する先行技術として明示的にも暗示的にも認めるものではない。
【０００４】
ワイヤレスローカルエリアネットワーク（ＷＬＡＮ）は、インフラストラクチャモードで動作する場合、アクセスポイント（ＡＰ）および１または複数のクライアントステーションを通常含む。ＷＬＡＮは、過去十年間の間に急速に発展してきた。米国電気電子学会（ＩＥＥＥ）８０２．１１ａ規格、８０２．１１ｂ規格、８０２．１１ｇ規格および８０２．１１ｎ規格等のＷＬＡＮ規格の開発によって、シングルユーザピークデータスループットが改善された。例えば、ＩＥＥＥ８０２．１１ｂ規格は、シングルユーザピークスループットとして１１メガビット毎秒（Ｍｂｐｓ）を定め、ＩＥＥＥ８０２．１１ａ規格およびＩＥＥＥ８０２．１１ｇ規格は、シングルユーザピークスループットとして５４Ｍｂｐｓを定め、ＩＥＥＥ８０２．１１ｎ規格は、シングルユーザピークスループットとして６００Ｍｂｐｓを定め、ＩＥＥＥ８０２．１１ａｃ規格は、シングルユーザピークスループットとしてギガビット毎秒（Ｇｂｐｓ）レベルを定めている。
【０００５】
サブ１ＧＨｚ周波数帯域における無線ネットワーク動作を定めるＩＥＥＥ８０２．１１ａｈという新しい規格に関して研究がが始まっている。低周波数通信チャネルは概して、高周波数帯域における送信に比べて、伝搬品質が高く、伝搬範囲が大きいという特徴を持つ。これまで、サブ１ＧＨｚ帯域は、他の用途（例えば、ライセンスされたテレビ周波数帯域、無線周波数帯域等）に割り当てられていたので、無線通信ネットワークには利用されてこなかった。サブ１ＧＨｚ帯域においてライセンスされていない周波数帯域はほとんど無く、地理的領域毎にライセンスされていない周波数は異なる。ＩＥＥＥ８０２．１１ａｈ規格は、利用可能なライセンスされていないサブ１ＧＨｚ周波数帯域における無線動作を定める。
【発明の概要】
【０００６】
ある実施形態によると、ベーシックサービスセット（ＢＳＳ）チャネル帯域幅を持つＢＳＳチャネル内で送信される複数の信号を生成する方法であって、一連の１または複数のコンポーネントチャネルは、合計で、ＢＳＳチャネルと同一範囲であり、方法は、低帯域幅モードデータユニットの周波数における１または複数の複製のうち第１の複製がＢＳＳチャネルのエッジに配置されると判断する段階を備える。１または複数の複製はそれぞれ、（ｉ）複数の直交周波数分割多重（ＯＦＤＭ）トーンを含み、（ｉｉ）一連の１または複数のコンポーネントチャネルにおける最も帯域幅が狭いチャネルよりも狭い帯域幅を持つ。１または複数の複製のそれぞれにおける複数のＯＦＤＭトーンは、１または複数のデータトーン、１または複数のパイロットトーン、および、１または複数のガードトーンを含む。当該方法はさらに、１または複数の複製を含む第１の送信信号を生成する段階を備える。第１の送信信号を生成する段階は、第１の複製がＢＳＳチャネルのエッジに配置されると判断する段階に応じて、（ｉ）第１の複製の少なくとも一のデータトーンをスケーリングダウンすること、および、（ｉｉ）第１の複製の少なくとも１つのデータトーンをゼロ設定することのうち一方または両方を実行する段階を有する。
【０００７】
別の実施形態によると、低帯域幅モードデータユニットの周波数における１または複数の複製のうち第１の複製がベーシックサービスセット（ＢＳＳ）チャネル帯域幅を持つＢＳＳチャネル内のエッジに配置されると判断するネットワークインターフェースを備える装置が提供される。一連の１または複数のコンポーネントチャネルは、合計で、ＢＳＳチャネルと同一範囲である。１または複数の複製はそれぞれ、（ｉ）複数の直交周波数分割多重（ＯＦＤＭ）トーンを含み、（ｉｉ）一連の１または複数のコンポーネントチャネルにおける最も帯域幅が狭いチャネルよりも狭い帯域幅を持つ。１または複数の複製のそれぞれにおける複数のＯＦＤＭトーンは、１または複数のデータトーン、１または複数のパイロットトーン、および、１または複数のガードトーンを含む。ネットワークインターフェースはさらに、１または複数の複製を含む第１の送信信号を生成する。ネットワークインターフェースは、第１の複製がＢＳＳチャネルのエッジに配置されると判断することに応じて、（ｉ）第１の複製の少なくとも１つのデータトーンをスケーリングダウンすること、および、（ｉｉ）第１の複製の少なくとも１つのデータトーンをゼロ設定することのうち一方または両方を実行することに少なくとも部分的によって、第１の送信信号を生成する。
【０００８】
別の実施形態によると、ベーシックサービスセット（ＢＳＳ）チャネル帯域幅を持つＢＳＳチャネル内で送信される複数の信号を生成する方法であって、一連のコンポーネントチャネルは、合計で、ＢＳＳチャネルと同一範囲であり、当該方法は、低帯域幅モードデータユニットの周波数における第１の複製を生成する段階を備える。第１の複製は、（ｉ）第１の複数の直交周波数分割多重（ＯＦＤＭ）トーンを含み、（ｉｉ）一連のコンポーネントチャネルにおける最も帯域幅が狭いチャネルよりも狭い帯域幅を持つ。第１の複数のＯＦＤＭトーンは、第１の一連のデータトーン、第１の一連の下側エッジガードトーンおよび第１の一連の上側エッジガードトーンを含む。当該方法はさらに、低帯域幅モードデータユニットの、周波数における、第２の複製を生成する段階を備える。第２の複製は、（ｉ）第２の複数のＯＦＤＭトーンを含み、（ｉｉ）一連のコンポーネントチャネルにおける最も帯域幅が狭いチャネルよりも狭い帯域幅を持つ。第２の複数のＯＦＤＭトーンは、第２の一連のデータトーン、第２の一連の下側エッジガードトーンおよび第２の一連の上側エッジガードトーンを含む。（ｉ）第２の一連のデータトーンは第１の一連のデータトーンと等しく、第１の一連のデータトーンのうち少なくとも最も高い周波数のデータトーンがスケーリングダウンあるいはゼロ設定されており、または、（ｉｉ）第２の一連のデータトーンは第１の一連のデータトーンと等しく、第１の一連のデータトーンのうち少なくとも最も低い周波数のデータトーンがスケーリングダウンあるいはゼロ設定されている。当該方法はさらに、ＢＳＳチャネルの少なくとも一部分を用いて送信信号を送信する段階を備える。ＢＳＳチャネルの少なくとも一部分を用いて送信信号を送信する段階は、（ｉ）ＢＳＳチャネル内の第１のサブバンドを用いて第１の複製を送信する段階、および、（ｉｉ）ＢＳＳチャネル内の第２のサブバンドを用いて第２の複製を送信する段階を有する。ＢＳＳチャネル内の第２のサブバンドは、ＢＳＳチャネルの上側エッジまたはＢＳＳチャネルの下側エッジに配置されている。
【０００９】
別の実施形態によると、低帯域幅モードデータユニットの周波数における第１の複製を生成するネットワークインターフェースを備える装置を提供する。第１の複製は、（ｉ）第１の複数の直交周波数分割多重（ＯＦＤＭ）トーンを含み、（ｉｉ）一連のコンポーネントチャネルにおける最も帯域幅が狭いチャネルよりも狭い帯域幅を持つ。一連のコンポーネントチャネルは、合計で、ベーシックサービスセット（ＢＳＳ）チャネル帯域幅を持つＢＳＳチャネルと同一範囲である。第１の複数のＯＦＤＭトーンは、第１の一連のデータトーン、第１の一連の下側エッジガードトーンおよび第１の一連の上側エッジガードトーンを含む。ネットワークインターフェースはさらに、低帯域幅モードデータユニットの周波数における第２の複製を生成する。第２の複製は、（ｉ）第２の複数のＯＦＤＭトーンを含み、（ｉｉ）一連のコンポーネントチャネルにおける最も帯域幅が狭いチャネルよりも狭い帯域幅を持つ。第２の複数のＯＦＤＭトーンは、第２の一連のデータトーン、第２の一連の下側エッジガードトーンおよび第２の一連の上側エッジガードトーンを含む。（ｉ）第２の一連のデータトーンは第１の一連のデータトーンと等しく、第１の一連のデータトーンのうち少なくとも最も高い周波数のデータトーンがスケーリングダウンあるいはゼロ設定されているか、または、（ｉｉ）第２の一連のデータトーンは第１の一連のデータトーンと等しく、第１の一連のデータトーンのうち少なくとも最も低い周波数のデータトーンがスケーリングダウンあるいはゼロ設定されている。ネットワークインターフェースはさらに、ＢＳＳチャネルの少なくとも一部分を用いて、１または複数のアンテナを介して、送信信号を送信する。ネットワークインターフェースは、少なくとも部分的に、（ｉ）ＢＳＳチャネル内の第１のサブバンドを用いて第１の複製を送信すること、および、（ｉｉ）ＢＳＳチャネル内の第２のサブバンドを用いて第２の複製を送信することによって送信信号を送信する。ＢＳＳチャネル内の第２のサブバンドは、ＢＳＳチャネルの上側エッジまたはＢＳＳチャネルの下側エッジに配置されている。
【図面の簡単な説明】
【００１０】
【図１】実施形態に係るワイヤレスローカルエリアネットワーク（ＷＬＡＮ）の一例を示すブロック図である。
【００１１】
【図２】実施形態に係る長距離通信プロトコルのチャネライゼーション方式の一例を示す図である。
【００１２】
【図３】実施形態に係る低帯域幅モードデータユニットのトーンマップの一例を示す図である。
【００１３】
【図４】実施形態に係る長距離通信プロトコルが定めるチャネル内の複製された低帯域幅モードデータユニットの送信の一例を示す図である。
【００１４】
【図５】実施形態に係る長距離通信プロトコルが定めるチャネル内の複製された低帯域幅モードデータユニットの送信の別の例を示す図である。
【００１５】
【図６】２つの実施形態に係る、位相回転を用いた、複製された低帯域幅モードデータユニットの送信の例を示す図である。
【００１６】
【図７】実施形態に係る、上側エッジデータトーンの修正を行った、複製された低帯域幅モードデータユニットの送信の一例を示す図である。
【００１７】
【図８】実施形態に係る上側エッジデータトーンおよび下側エッジデータトーンの修正を行った、複製された低帯域幅モードデータユニットの送信の一例を示す図である。
【００１８】
【図９】実施形態に係る、長距離通信プロトコルが定めるチャネル内の複製されていない低帯域幅モードデータユニットの送信の例を示す図である。
【００１９】
【図１０】別の実施形態に係る、長距離通信プロトコルが定めるチャネル内の複製されていない低帯域幅モードデータユニットの送信の例を示す図である。
【００２０】
【図１１】実施形態に係る、ベーシックサービスセット（ＢＳＳ）チャネル内で送信する信号を生成する方法の一例を示すフローチャートである。
【００２１】
【図１２】実施形態に係るＢＳＳチャネル内で送信される信号を生成するための方法の別の例を示すフローチャートである。
【発明を実施するための形態】
【００２２】
以下で説明する実施形態によると、ワイヤレスローカルエリアネットワーク（ＷＬＡＮ）のアクセスポイント（ＡＰ）等の無線ネットワークデバイスは、１または複数のクライアントステーションにデータストリームを送信する。ＡＰは、少なくとも第１の通信プロトコルに応じてクライアントステーションと共に動作するように構成されている。第１の通信プロトコルは、サブ１ＧＨｚ周波数帯域における動作を定めており、通常は比較的低いデータレートにおける長距離無線通信を必要とする用途で利用される。第１の通信プロトコル（例えば、ＩＥＥＥ８０２．１１ａｈ）は、本明細書において「長距離」通信プロトコルと呼ぶ。一部の実施形態によると、長距離通信プロトコルに準拠している物理層（ＰＨＹ）データユニット（「長距離データユニット」）は、より高周波数におけるより短距離の通信プロトコル（例えば、ＩＥＥＥ８０２．１１ｎおよび／またはＩＥＥＥ８０２．１１ａｃ）に準拠している「短距離」データユニットと同一または同様であるが、より低いクロックレートを用いて（例えば、ＩＥＥＥ８０２．１１ｎ信号またはＩＥＥＥ８０２．１１ａｃ信号をダウンクロックして）生成される。さまざまな実施形態に係る長距離データユニットの形式の例は、米国特許出願第１３／３５９，３３６号（「Ｐｈｙｓｉｃａｌ  Ｌａｙｅｒ  Ｆｒａｍｅ  Ｆｏｒｍａｔ  Ｆｏｒ  Ｌｏｎｇ  Ｒａｎｇｅ  ＷＬＡＮ」）に説明する。当該出願の開示内容は全て、参照により本願に組み込まれる。
【００２３】
長距離データユニットは、直交周波数分割多重（ＯＦＤＭ）を用いて無線チャネルを介して複数のサブキャリア／トーンで送信される。長距離通信プロトコルは、複数のチャネル帯域幅（例えば、一実施形態によると、２ＭＨｚ、４ＭＨｚ、８ＭＨｚおよび１６ＭＨｚ）を持つチャネライゼーション方式をサポートしている。定義されているチャネル帯域幅のうち１つに等しい帯域幅を持つ長距離データユニットは、本明細書において、「通常モード」データユニットと呼ぶ。長距離通信プロトコルはさらに、長距離通信プロトコルで定められている最小チャネル帯域幅よりも小さい帯域幅で各低帯域幅モードデータユニットが送信される「低帯域幅モード」を定めている。例えば、長距離通信プロトコルが２ＭＨｚ、４ＭＨｚ、８ＭＨｚおよび１６ＭＨｚというチャネル帯域幅を定めている一実施形態によると、通常モードデータユニットは、６４ポイント、１２８ポイント、２５６ポイントまたは５１２ポイントの逆高速フーリエ変換（ＩＦＦＴ）を用いて生成され、それぞれ２ＭＨｚ、４ＭＨｚ、８ＭＨｚまたは１６ＭＨｚの帯域幅を占める。一方、低帯域幅モードデータユニットは、３２ポイントのＩＦＦＴを用いて生成され、１ＭＨｚの帯域幅を占める。低帯域幅モード通信は概して、通常モード通信よりもロバスト性が高く、より広い範囲における通信をサポートする感度ゲインを持つ。さまざまな異なる実施形態によると、低帯域幅モードデータユニットは、より広い範囲のデータ通信、制御信号の送信、または、その両方に用いられる。さまざまな実施形態に係る低帯域幅モードデータユニットの形式の例および低帯域幅モードデータユニットの生成は、米国特許出願第１３／３６６，０６４号（「Ｃｏｎｔｒｏｌ  Ｍｏｄｅ  ＰＨＹ  ｆｏｒ  ＷＬＡＮ」）および米国特許出願第１３／４９４，５０５号（「Ｌｏｗ  Ｂａｎｄｗｉｄｔｈ  ＰＨＹ  ｆｏｒ  ＷＬＡＮ」）に記載されている。両特許文献の開示内容は全て、参照により本願に組み込まれる。実施形態によると、通常モードデータユニットおよび低帯域幅モードデータユニットは共に、固定のＯＦＤＭトーン／サブキャリア間隔を用いており、長距離通信プロトコルは、各通常モードデータユニットおよび各低帯域幅モードデータユニットの上側エッジおよび下側エッジにおける未使用の「ガード」トーンの数を定めている。さまざまな実施形態によると、長距離通信プロトコルでは、通常モードデータユニットに比べると、低帯域幅モードデータユニットの方が、上側エッジおよび／または下側エッジにおいて定めているガードトーンの数が少ない。一般的に、ガードトーンの数が多くなると、データユニットを送受信するデバイスに対するフロントエンドフィルタ要件が緩和される。さらに、帯域幅が高くなってフロントエンドフィルタの要件が厳しくなることを避けるべく、信号の帯域幅が広くなると一般的に、帯域幅が小さい信号よりも、必要となるガードトーンの数が多くなる。
【００２４】
さまざまな実施形態および／またはシナリオによると、低帯域幅モードデータユニットは、単独で（例えば、２ＭＨｚまたは２ＭＨｚを超えるチャネル帯域幅において１ＭＨｚ送信で）、または、二重に（例えば、２ＭＨｚまたは２ＭＨｚを超えるチャネル帯域幅において１ＭＨｚ送信の、周波数ドメインにおける、２つまたはそれを超える複製またはレプリカを用いて）長距離通信プロトコルで定められているチャネル内で送信される。広チャネル帯域幅において低帯域幅モードデータユニットの複製を利用する実施形態例は、米国特許出願第１３／５８６，６７８号（「Ｌｏｎｇ  Ｒａｎｇｅ  ＷＬＡＮ  Ｄａｔａ  Ｕｎｉｔ  Ｆｏｒｍａｔ」）に記載する。当該出願の開示内容は全て、参照により本願に組み込まれる。長距離通信プロトコルが定めている上側エッジおよび／または下側エッジのガードトーンの数が、一部の実施形態において、低帯域幅モードデータユニットの方が通常モードデータユニットよりも少ないので、チャネル内の低帯域幅モードデータユニット（および／または低帯域幅モードデータユニットの複製）の任意の位置決めは、チャネルのスペクトルマスク要件に違反する可能性がある。したがって、後述するさまざまな実施形態によると、低帯域幅モードデータユニット（および／または低帯域幅モードデータユニットの複製）は、特定の一連のルールにしたがって長距離通信プロトコルのチャネル内に配置され、および／または、スペクトルマスク要件に準拠するよう修正される。
【００２５】
図１は、実施形態に係る、ＡＰ１４を備えるＷＬＡＮ１０の一例を示すブロック図である。ＡＰ１４は、ネットワークインターフェース１６に結合されているホストプロセッサ１５を有する。ネットワークインターフェース１６は、媒体アクセス制御（ＭＡＣ）処理部１８および物理層（ＰＨＹ）処理部２０を含む。ＰＨＹ処理部２０は複数の送受信機２１を含み、送受信機２１は複数のアンテナ２４に結合されている。図１に図示している送受信機２１およびアンテナ２４は３つであるが、ＡＰ１４が含む送受信機２１およびアンテナ２４の数は他の実施形態では変更するとしてもよい（例えば、１つ、２つ、４つ、５つ等）。
【００２６】
ＷＬＡＮ１０はさらに、複数のクライアントステーション２５を備える。図１に図示しているクライアントステーション２５は４つであるが、ＷＬＡＮ１０が含むクライアントステーション２５の数はさまざまなシナリオおよび実施形態において異なる（例えば、１つ、２つ、３つ、５つ、６つ等）としてよい。クライアントステーション２５−１は、ネットワークインターフェース２７に結合されているホストプロセッサ２６を有する。ネットワークインターフェース２７は、ＭＡＣ処理部２８およびＰＨＹ処理部２９を含む。ＰＨＹ処理部２９は複数の送受信機３０を含み、送受信機３０は複数のアンテナ３４に結合されている。図１に図示されている送受信機３０およびアンテナ３４は３つであるが、クライアントステーション２５−１が有する送受信機３０およびアンテナ３４の数は他の実施形態では異なるとしてもよい（例えば、１つ、２つ、４つ、５つ等）。
【００２７】
一部の実施形態によると、クライアントステーション２５−２、２５−３および２５−４のうち１つ、一部または全ては、クライアントステーション２５−１と構造が同一または同様である。これらの実施形態では、クライアントステーション２５−１と構造が同一または同様のクライアントステーション２５は、送受信機およびアンテナの数が同一であるか、または、異なる。例えば、クライアントステーション２５−２は、ある実施形態によると、送受信機およびアンテナがそれぞれ２つのみである（不図示）。
【００２８】
実施形態によると、ＡＰ１４のＰＨＹ処理部２０は、長距離通信プロトコルに準拠している通常モードデータユニットおよび／または低帯域幅モードデータユニットを生成するように構成されており、送受信機２１は、生成されたデータユニットをアンテナ２４を介して送信するように構成されている。同様に、ＡＰ１４のＰＨＹ処理部２０は、実施形態によると、長距離通信プロトコルに準拠している受信した通常モードデータユニットおよび／または低帯域幅モードデータユニットを処理するように構成されており、データユニットはアンテナ２４を介して送受信機２４で受信される。
【００２９】
実施形態によると、クライアントデバイス２５−１のＰＨＹ処理部２９はさらに、長距離通信プロトコルに準拠している通常モードデータユニットおよび／または低帯域幅モードデータユニットを生成するように構成されており、送受信機３０は、生成されたデータユニットをアンテナ３４を介して送信するように構成されている。同様に、クライアントデバイス２５−１のＰＨＹ処理部２９は、実施形態によると、長距離通信プロトコルに準拠している受信した通常モードデータユニットおよび／または低帯域幅モードデータユニットを処理するように構成されている。データユニットは、アンテナ３４を介して送受信機３０で受信される。
【００３０】
図２は、実施形態に係る、長距離通信プロトコルのためのチャネライゼーション方式６０の例を示す図である。チャネライゼーション方式６０は、実施形態によると、ＷＬＡＮ（例えば、図１のＷＬＡＮ１０）におけるデータストリーム送信のために用いられる。例えば、チャネライゼーション方式６０内の１または複数のチャネルは、さまざまな実施形態および／またはシナリオにおいて、図１のＡＰ１４からクライアントステーション２５−１への送信および／またはその逆について利用される。チャネライゼーション方式６０において、さまざまな異なるシナリオによると、「コンポーネント」チャネル８０は、実施形態によると、個別にデータ送信に用いられるか、または、連結されて一のより大きな通信チャネルを形成する。一部の実施形態によると、図２に図示しているよりも、チャネル８０の数を増減させるとしてよい。
【００３１】
一部の実施形態によると、２つの隣接するチャネル８０を連結して１つのチャネル８２を形成することができる。例えば、チャネル８０−１および８０−２を連結してチャネル８２−１を形成することができる。同様に、チャネル８０−３および８０−４を連結してチャネル８２−２を形成することができる。さらに、一部の実施形態によると、４つの隣接するチャネル８０を連結して１つのチャネル８４を形成することができる。例えば、チャネル８０−１から８０−４を連結してチャネル８４−１を形成することができる。同様に、チャネル８０−５から８０−８を連結してチャネル８４−２を形成することができる。さらに、一部の実施形態によると、８つの隣接するチャネル８０を連結して１つのチャネル８６を形成することができる。例えば、チャネル８０−１から８０−８を連結してチャネル８６−１を形成することができる。
【００３２】
実施形態によると、ＡＰ（例えば、図１のＡＰ１４）は、ベーシックサービスセット（ＢＳＳ）を構築する際に、コンポーネントチャネル８０のうち１または複数のコンポーネントチャネル８０に優先順位を割り当てる。一実施形態によると、例えば、ＡＰはチャネル８０のうち１つを「一次」チャネルと指定し、チャネル８０のうち１または複数を「二次」チャネルと指定する。一部の実施形態によると、１または複数の追加の優先レベル（「三次」等）をさらに他のチャネル８０に割り当てる。一のシナリオおよび実施形態によると、例えば、チャネル８０−３が一次チャネルと指定され、チャネル８０−４が二次チャネルと指定され、チャネル８０−１および８０−２は追加の二次チャネルとして、または、三次チャネルとして指定される（または、組み合わせて、帯域幅が４ＭＨｚの一の三次チャネルを形成する等）等。割り当てられた、一次チャネル８０、二次チャネル８０等は、実施形態によると、媒体アクセス制御の目的で（つまり、ＢＳＳにおけるデータ送信について利用可能なチャネルを決定するべく）モニタリングされる。
【００３３】
チャネライゼーション方式６０の例によると、各コンポーネントチャネル８０は、帯域幅が２ＭＨｚであり、各チャネル８２は帯域幅が４ＭＨｚであり、各チャネル８４は帯域幅が８ＭＨｚであり、チャネル８６−１は帯域幅が１６ＭＨｚである。他の実施形態によると、各チャネル８０は、他の適切な帯域幅、例えば、１ＭＨｚ、５ＭＨｚ、１０ＭＨｚ、２０ＭＨｚ等を持つ。一実施形態によると、通常モードデータユニットは、ＡＰ（例えば、ＡＰ１４）またはクライアントステーション（例えば、クライアントステーション２５−１）によって、チャネル８０、８２、８４および８６のうち最も広帯域幅の利用可能なチャネルの帯域幅と等しい帯域幅と持つように生成される。一実施形態によると、最も広帯域幅の利用可能なチャネルは、１または複数の媒体アクセスルールを満たすチャネルである。一実施形態によると、例えば、任意のＢＳＳチャネルは、ＡＰが一次チャネルと指定しているチャネル８０を含む必要がある（つまり、一次チャネルがアイドル状態であると判断されない限りは、送信が許可されない）。より一般的には、一部の実施形態によると、相対的に優先度が低いチャネル８０は、（チャネル８０がビジー状態またはアイドル状態でのいずれであろうと）相対的に優先度が高い別のチャネル８０がビジー状態であると判断されると、ビジー状態として処理される。一次、二次等のチャネル指定を利用している媒体アクセス技術の例は、さまざまな実施形態によると、米国特許出願第１３／０３４，４０９号（発明の名称：「Ｍｅｔｈｏｄｓ  ａｎｄ  Ａｐｐａｒａｔｕｓ  ｆｏｒ  Ｄｅｔｅｒｍｉｎｉｎｇ  ａ  Ｃｏｍｐｏｓｉｔｅ  Ｃｈａｎｎｅｌ」）に記載されている。当該出願の開示内容は全て参照により本願に組み込まれる。
【００３４】
実施形態によると、通常モードデータユニットは、ＯＦＤＭトーンがＢＳＳチャネルの帯域幅（つまり、チャネル８０、８２、８４および８６のうち利用可能なチャネルと同一範囲の周波数帯域）に等しい帯域幅を占めるように生成され、低帯域幅モードデータユニットは、ＯＦＤＭトーンが最も帯域幅が狭いチャネル（チャネル８０）の帯域幅より小さい帯域幅を占めるように生成される。説明を簡略化するべく、通常モードデータユニットの帯域幅が２ＭＨｚ、４ＭＨｚ、８ＭＨｚまたは１６ＭＨｚである図２に示す実施形態を参照しつつ、そして、低帯域幅モードデータユニットの帯域幅は１ＭＨｚである実施形態を参照しつつ、図３から図１０を以下で説明する。
【００３５】
図３は、実施形態に係る、低帯域幅モードデータユニットのトーンマップ９０の例を示す図である。さまざまな実施形態および／またはシナリオによると、トーンマップ９０は、図１のＡＰ１４のＰＨＹ処理部２０、または、クライアントステーション２５−１のＰＨＹ処理部２９が生成する低帯域幅モードデータユニットに対応する。トーンマップ９０は、１ＭＨｚの帯域幅を占めるように３２ポイントのＩＦＦＴを用いて生成される低帯域幅モードデータユニットに対応する。
【００３６】
トーンマップ９０は、下側パイロットデータトーン９２−１および上側パイロットデータトーン９２−２を含む。一実施形態によると、例えば、トーンマップ９０は、トーン９２−１内において１２個の下側データトーンおよび１個の下側パイロットトーン（例えば、インデックス−７）を含み、トーン９２−２内において１２個の上側データトーンおよび１個の上側パイロットトーン（例えば、インデックス＋７）を含む。トーンマップ９０はさらに、ＤＣ（ヌル）トーン９４、下側エッジガード（ヌル）トーン９６−１および上側エッジガード（ヌル）トーン９６−２を含む。他の実施形態によると、低帯域幅モードデータユニット用のトーンマップ９０は、図３に示した数とは異なる数のデータトーン、パイロットトーン、ＤＣトーン、下側エッジガードトーンおよび／または上側エッジガードトーンを含む。
【００３７】
一部の実施形態および／またはシナリオによると、低帯域幅モードデータユニットは、ＢＳＳチャネルにおいて２回またはそれを超える回数だけ、周波数ドメインで、複製される。例えば、一実施形態によると、図３に示すトーンマップ９０のデータトーン、パイロットトーン、ＤＣトーンおよびガードトーンで構成されるトーン群全体が、２ＭＨｚまたは２ＭＨｚを超えるＢＳＳチャネル内の２個またはそれを超える隣接する１ＭＨｚサブバンドにおいて複製される。トーンマップ９０の３２個のデータ／パイロット／ヌルトーンを持つ低帯域幅モードデータユニットが、ＢＳＳチャネル内の２ＭＨｚチャネル（例えば、図２のチャネル８０のうち１つ）において送信のために２回繰り返される一実施形態によると、例えば、トーンマップ９０は、第１のデータユニットコピーのトーンインデックス−１６から＋１５が２ＭＨｚ送信信号のトーンインデックス−３２から−１を占め、第２のデータユニットコピーのトーンインデックス−１６から＋１５が、２ＭＨｚ送信信号のトーンインデックス０から＋３１を占めるように複製される。このような一実施形態によると、異なる３２ポイントのＩＦＦＴを用いて、低帯域幅モードデータユニットのそれぞれの複製のトーンを生成して（つまり、並列配置で）２ＭＨｚ送信信号を生成する。別の実施形態によると、６４ポイントのＩＦＦＴを用いて、低帯域幅モードデータユニットの両方の複製のトーンを生成して２ＭＨｚ送信信号を生成する。
【００３８】
一部の実施形態および／またはシナリオによると、低帯域幅モードデータユニットは、ＢＳＳチャネル帯域幅（２ＭＨｚ、４ＭＨｚ、８ＭＨｚまたは１６ＭＨｚ）に関わらず、ＢＳＳチャネルの各１ＭＨｚサブバンド全てにおいて複製される。図４は、このような一実施形態に係る、４ＭＨｚのＢＳＳチャネル１２０における複製された１ＭＨｚ低帯域幅モードデータユニット１１０の送信１００の例を示す図である。実施形態によると、ＢＳＳチャネル１２０は、図２の４ＭＨｚチャネル８２のうち１つと同一範囲であり、図１のＡＰ１４とクライアントステーション２５との間の通信に利用される。ＢＳＳチャネル１２０は、図４では、「ＳＢ１」から「ＳＢ４」と示す４つの隣接する１ＭＨｚサブバンドを含む。
【００３９】
図４の実施形態例およびシナリオによると、１ＭＨｚ低帯域幅モードデータユニット１１０が４回複製されて、ＢＳＳチャネル１２０全体を占める（つまり、４個の低帯域幅モードの複製１１０−１から１１０−４がそれぞれ、ＳＢ１からＳＢ４を占める）。実施形態によると、それぞれの低帯域幅モードデータユニットの複製１１０は、図３のトーンマップ９０と同一のトーンマップを持つ。
【００４０】
他の実施形態および／またはシナリオによると、低帯域幅モードデータユニットは、ＢＳＳチャネル内の一次チャネルにおいてのみ複製される（例えば、２ＭＨｚチャネルが図１のＡＰ１４によって一次チャネルとして指定される）。図５は、この代替的な実施形態またはシナリオに応じた、４ＭＨｚのＢＳＳチャネル１７０における複製された低帯域幅モードデータユニット１６０の送信１５０の例を示す図である。実施形態によると、ＢＳＳチャネル１７０は、図２の４ＭＨｚチャネル８２のうち１つと同一範囲であり、図１のＡＰ１４とクライアントステーション２５との間の通信に利用される。
【００４１】
図５の実施形態例およびシナリオによると、１ＭＨｚ低帯域幅モードデータユニット１６０は、２回複製されて、ＢＳＳチャネル１７０の上側の２ＭＨｚを占め、上側の２ＭＨｚは、ＢＳＳの２ＭＨｚの一次チャネルに対応する。実施形態によると、それぞれの低帯域幅モードデータユニットの複製１６０は、図３のトーンマップ９０と同一のトーンマップを持つ。
【００４２】
低帯域幅モードデータユニットがチャネルにおいて複製される一部の実施形態によると、複製毎に異なる位相回転を適用して、送信信号のピーク対平均電力比（ＰＡＰＲ）を小さくする。図６は、２つの実施形態および／またはシナリオに応じた、位相回転を適用している複製された低帯域幅モードデータユニット（２１０および２２０）の送信（２００Ａおよび２００Ｂ）の例を示す図である。実施形態によると、送信２００Ａおよび２００Ｂの例は、図１のＡＰ１４のＰＨＹ処理部２０またはクライアントステーション２５−１のＰＨＹ処理部２９が生成する信号である。送信２００Ａの例は、図４に示した実施形態およびシナリオと同様に、４ＭＨｚのＢＳＳチャネルの１ＭＨｚサブバンドのそれぞれにおいて低帯域幅モードデータユニットが複製される実施形態およびシナリオに対応する。具体的には、ある実施形態によると、第１の複製２１０−１の各トーンは、位相回転乗数ｃ１によって乗算されており、第２の複製２１０−２の各トーンは、位相回転乗数ｃ２によって乗算されており、第３の複製２１０−３の各トーンは、位相回転乗数ｃ３によって乗算されており、第４の複製２１０−４の各トーンは、位相回転乗数ｃ４によって乗算される。実施形態によると、ｃ１からｃ４はそれぞれ、ｅｘｐ（ｊ＊θｎ）という形式を持つ。θｎは、ｎ番目の１ＭＨｚ反復／複製の位相シフトである。さまざまな実施形態によると、例えば、θｎは、ｎ＊ｐｉ、ｎ＊ｐｉ／２、または、異なる適切な位相回転のｎ倍に等しい。
【００４３】
送信２００Ｂの例は、低帯域幅モードデータユニットが、２ＭＨｚのＢＳＳチャネルの両方の１ＭＨｚサブバンドにおいて、または、４ＭＨｚまたは４ＭＨｚを超える帯域幅のＢＳＳチャネルの２ＭＨｚの一次チャネルの両方の１ＭＨｚサブバンドにおいて複製される実施形態およびシナリオに対応する。具体的には、第１の複製２２０−１の各トーンは、位相回転乗数ｄ１によって乗算され、第２の複製２２０−２の各トーンは、位相回転乗数ｄ２によって乗算される。実施形態によると、ｄ１およびｄ２のそれぞれは、ｅｘｐ（ｊ＊θｎ）という形式を持つ。θｎは、ｎ番目の１ＭＨｚ反復／複製の位相シフトである。さまざまな実施形態によると、例えば、θｎは、ｎ＊ｐｉ、ｎ＊ｐｉ／２、または、異なる適切な位相回転のｎ倍に等しい。
【００４４】
通常モードデータユニットおよび低帯域幅モードデータユニットの両方は、送信デバイスおよび受信デバイスにおけるフロントエンドフィルタ要件を緩和するべく、上側エッジガードトーンおよび下側エッジガードトーンを含む。図３のトーンマップ９０の例では、例えば、低帯域幅モードデータユニットは、３つの下側エッジガードトーン９６−１および２つの上側エッジガードトーン９６−２を含む。一部の実施形態によると、通常モードデータユニットは、さらに多くのガードトーンを含み、信号帯域幅が大きくなってもフロントエンドフィルタ要件が大幅に厳しくならないようにする。低帯域幅モードデータユニットがトーンマップ９０を持つ一実施形態によると、例えば、通常モードデータユニットの下側エッジガードトーンおよび上側エッジガードトーンの数は、表１に示すように、長距離通信プロトコルで定められている。
【表１】
2015512210.tif 000003
一般的に、フロントエンドフィルタが送信チャネルの中心に関して非常に対称的な周波数応答を持つ実施形態では、ガードトーンが少ない方のエッジにおけるガードトーンの数（つまり、表１の実施形態例では、上側エッジガードトーンの数）が、フロントエンドフィルタ要件を左右する。
【００４５】
複製された低帯域幅モードデータユニットまたは複製されていない低帯域幅モードデータユニットが図３のトーンマップ９０と同一または同様のトーンマップを持ち、複製された低帯域幅モードデータユニットまたは複製されていない低帯域幅モードデータユニットがより広帯域幅のＢＳＳチャネルで送信される一部の実施形態によると、ガードトーンの数が少なくなると、ガードバンドが狭くなり、ＢＳＳチャネルのスペクトルマスク要件が満たされない。例えば、トーンマップ９０を持つ低帯域幅モードデータユニットを２ＭＨｚまたは２ＭＨｚを超えるＢＳＳチャネルのうち最も高い１ＭＨｚサブバンドに配置すると、上側エッジガードトーンは２つのみになり、２ＭＨｚまたは２ＭＨｚを超えるＢＳＳチャネルのフロントエンド送信フィルタおよび／または受信フィルタが、３個またはそれを超えるガードトーンを各エッジに含むデータユニット（つまり、表１によると、２ＭＨｚまたは２ＭＨｚを超える通常モードデータユニット）のみ、または、各エッジにおいて５個またはそれを超えるガードトーンを持つデータユニット（つまり、表１によると、４ＭＨｚまたは４ＭＨｚを超える通常モードデータユニット）のみを受け入れるように設計されている場合、問題になり得る。別の例を挙げると、トーンマップ９０を持つ低帯域幅モードデータユニットを４ＭＨｚまたは４ＭＨｚを超えるＢＳＳチャネルのうち最も低い１ＭＨｚサブバンドに配置すると、下側エッジガードトーンは３つのみになり、４ＭＨｚまたは４ＭＨｚを超えるＢＳＳチャネルのフロントエンド送信フィルタおよび／または受信フィルタが各エッジにおいて少なくとも５個のガードトーンを持つデータユニット（つまり、表１によると、４ＭＨｚまたは４ＭＨｚを超える通常モードデータユニット）のみを受け入れるように設計されている場合、問題になり得る。
【００４６】
１ＭＨｚ低帯域幅モードデータユニットが２ＭＨｚまたは２ＭＨｚを超えるＢＳＳチャネルの各１ＭＨｚサブバンド内で複製される一実施形態によると、トーンマップ９０の１または複数の複製の１または複数のデータトーンが、長距離通信プロトコルのスペクトルマスクを満たすべく、ゼロ設定されるか、または、スケーリングダウンされる。図７および図８は、トーンマップ９０と同様のトーンマップを持つ１ＭＨｚ低帯域幅モードデータユニットが２ＭＨｚＢＳＳチャネルおよび４ＭＨｚＢＳＳチャネルのそれぞれで複製されるシナリオに対応するこのような一実施形態の送信の例を示す。この場合、長距離通信プロトコルでは、表１に応じた通常モードデータユニットのガードトーンが指定される。
【００４７】
図７において、送信３００の例は、実施形態によると、２ＭＨｚのＢＳＳチャネルの下側の１ＭＨｚサブバンド（ＳＢ１）に低帯域幅モードデータユニットの第１の複製３１０Ａを含み、２ＭＨｚのＢＳＳチャネルの上側の１ＭＨｚサブバンド（ＳＢ２）に低帯域幅モードデータユニットの第２の複製３１０Ｂを含む。一実施形態によると、第１の複製３１０Ａは、図３のトーンマップ９０と同一のトーンマップを持ち、データトーンおよびパイロットトーン３１２−１、３１２−２がそれぞれ、トーンマップ９０のデータトーンおよびパイロットトーン９２−１、９２−２に対応し、「ＤＣ」トーン３１４（ＤＣトーンとしての機能はもはやない）がトーンマップ９０のＤＣトーン９４に対応し、ガードトーン３１６−１および３１６−２がそれぞれ、トーンマップ９０のガードトーン９６−１および９６−２に対応する。同様に、本実施形態によると、第２の複製３１０Ｂは、トーンマップ９０のデータトーンおよびパイロットトーン９２−１、９２−２それぞれに対応するデータトーンおよびパイロットトーン３２２−１、３２２−２を持ち、「ＤＣ」トーン３２４（同様にＤＣトーンとしての機能はもはやない）がトーンマップ９０のＤＣトーン９４に対応し、ガードトーン３２６−１および３２６−２がそれぞれ、トーンマップ９０のガードトーン９６−１および９６−２と同様である。しかし、送信３００の例では、トーンマップ９０に比べると、データトーンおよびパイロットトーン３２２−２のうち最も高い周波数トーン３３０が、修正されている。一実施形態によると、トーン３３０は、送信機においてゼロ設定されており、第３のガード（ヌル）トーンが上側エッジガードトーン３２６−２に追加される。別の実施形態によると、トーン３３０は、ゼロ設定されていないが、トーンマップ９０と比較すると、送信機において電力がスケーリングダウンされている。これらの実施形態によると、２ＭＨｚの送信３００の上側の１ＭＨｚにおける１ＭＨｚの受信機のデコード感度は、（例えば、１ビット）低減されるとしてよい。しかし、一部の実施形態によると、影響をを受けるのは１つのトーンのみであるので、そして、エラー制御コーディングによってデータユニット全体が正しくデコードされ得るので、コード感度の低減の影響は小さい。
【００４８】
図８において、送信３５０の一例は、実施形態によると、４ＭＨｚのＢＳＳチャネルの第１の／最も低い１ＭＨｚサブバンド（ＳＢ１）に低帯域幅モードデータユニットの第１の複製３６０Ａを含み、４ＭＨｚのＢＳＳチャネルの第２の１ＭＨｚサブバンド（ＳＢ２）に低帯域幅モードデータユニットの第２の複製３６０Ｂを含み、４ＭＨｚのＢＳＳチャネルの第３の１ＭＨｚサブバンド（ＳＢ３）に低帯域幅モードデータユニットの第３の複製３６０Ｃを含み、４ＭＨｚのＢＳＳチャネルの第４の１ＭＨｚサブバンド（ＳＢ４）に低帯域幅モードデータユニットの第４の複製３６０Ｄを含む。図７はそれぞれの複製された低帯域幅モードデータユニットの各トーンを示す一方、図８は、分かり易いように、それぞれの複製されたデータユニット３６０のうちデータ／パイロット／ＤＣトーンを表すブロックのみを示し、それぞれの複製されたデータユニットのガードトーンは、ブロック３６０同士の間および周囲のギャップによって表している。一実施形態によると、第２の複製３６０Ｂおよび第３の複製３６０Ｃはそれぞれ、図３のトーンマップ９０と同一のトーンマップを持つ。さらに、本実施形態によると、第１の複製３６０Ａおよび第４の複製３６０Ｄはそれぞれ、トーンマップ９０と同様のトーンマップを持つ。しかし、送信３５０の例によると、第１の複製３６０Ａの最も周波数が低い２つのトーン３６２および第４の複製３６０Ｄの最も周波数が高い３つのトーン３６４は、送信機において、ゼロ設定されるか、または、スケーリングダウンされる。このようにすることで、トーンマップ９０は一般的に、長距離通信プロトコルにおける広帯域幅チャネルに対するスペクトルマスク要件に違反することなく、低帯域幅モードデータユニットについて利用され得る。
【００４９】
別の実施形態によると、図７の送信３００のエッジにおいて、または、図８の送信３５０のエッジにおいて、スケーリングダウンまたはゼロ設定するデータトーンの数を増減させる。トーンマップ９０がより多くのガードトーンを含む一部の実施形態によると、例えば、図７の送信３００においてどのトーンも修正されず（スケーリングダウンまたはゼロ設定が行われず）、図８の送信３５０において修正されるトーンが少なくなる。別の例を挙げると、長距離通信プロトコルがより厳しいスペクトルマスクを定めているか、および／または、表１で示した数よりも多くのガードトーンを通常モードデータユニットについて定めている実施形態では、図７の送信３００のエッジおよび／または図８の送信３５０のエッジにおいて修正する（スケーリングダウンまたはゼロ設定する）トーンを追加する。
【００５０】
本明細書において複製のトーンを「スケーリング」または「ゼロ設定」するという場合、長距離通信プロトコルの特定の低帯域幅モードデータユニットに関する複製のトーンマップを単に意味することに留意されたい。このように、複製のトーンをスケーリングまたはゼロ設定する、という場合、複製が最初に生成された後でトーンがスケーリングまたはゼロ設定されることを必ずしも意味するものではない。一部の実施形態では、例えば、１または複数の「スケーリング」および／または「ゼロ設定」されたトーンを含む複製のトーンを直接、最終的な形態で生成する。
【００５１】
１ＭＨｚ低帯域幅モードデータユニットの一のコピー／複製のみを２ＭＨｚまたは２ＭＨｚを超えるＢＳＳチャネルにおいて送信する一部の実施形態によると、低帯域幅モードデータユニットは、一連の１または複数のルールにしたがってチャネル内に配置される。図９は、一実施形態に対応する第１の一連のルールのもとでのさまざまなシナリオを示す。図１０は、別の実施形態に対応する第２の一連のルールのもとでのさまざまなシナリオを示す。図９および図１０の両方は、（例えば、実施形態において、図３のトーンマップ９０にしたがって）低帯域幅モードデータユニットにおいて上側エッジガードトーンよりも下側エッジガードトーンの方が多い実施形態に対応する。さらに、図９および図１０の両方は、各送信機および／または各受信機（例えば、図１のＡＰ１４および／またはクライアントステーション２５−１）が、フロントエンド帯域幅がＢＳＳチャネル帯域幅と同一または同様になるように、フロントエンドフィルタを設定する実施形態に対応する。
【００５２】
図９の実施形態によると、１ＭＨｚ低帯域幅モードデータユニットは、送信４００Ａの例から分かるように、２ＭＨｚのＢＳＳチャネルの下側の１ＭＨｚサブバンドにおいて送信される。４ＭＨｚ、８ＭＨｚまたは１６ＭＨｚのＢＳＳチャネルの場合、１ＭＨｚ低帯域幅モードデータユニットは、２ＭＨｚの一次チャネルがＢＳＳチャネルの（周波数において）最も下側の２ＭＨｚを占有しない場合には２ＭＨｚの一次チャネルの下側の１ＭＨｚサブバンドに配置され（例えば、４ＭＨｚのＢＳＳチャネルについての送信４００Ｂの例を参照）、２ＭＨｚの一次チャネルがＢＳＳチャネルの（周波数において）最も下側の２ＭＨｚを占有する場合、２ＭＨｚの一次チャネルの上側の１ＭＨｚサブバンドに配置される（例えば、４ＭＨｚのＢＳＳチャネルについての送信４００Ｃの例を参照）。
【００５３】
図１０の別の実施形態によると、１ＭＨｚ低帯域幅モードデータユニットは、ＢＳＳチャネル内の一次チャネルの位置（例えば、２ＭＨｚのＢＳＳチャネルについての送信４５０Ａの一例から、そして、上側または下側に２ＭＨｚの一次チャネルを持つ４ＭＨｚのＢＳＳチャネルについての送信４５０Ｂおよび４５０Ｃの例から、分かるように）に関係なく、一次チャネルの下側の１ＭＨｚサブバンド（または、帯域幅が２ＭＨｚに過ぎない場合、ＢＳＳチャネル自体の下側の１ＭＨｚサブバンド）において送信される。しかし、本実施形態によると、低帯域幅モードデータユニットの下側エッジにおける１または複数のデータトーンは、低帯域幅モードデータユニットがＢＳＳチャネルの最も低い１ＭＨｚサブバンドに配置される場合（例えば、送信４５０Ｃの例に対応するシナリオの場合）は常に、送信機においてゼロ設定されるかまたはスケーリングダウンされる。低帯域幅モードデータユニットが一般的に図３のトーンマップ９０と同一のトーンマップを持ち、例えば、長距離通信プロトコルが表１に応じて通常モードデータユニットのガードトーンを特定している一実施形態によると、最も低い２つのデータトーンが、低帯域幅モードデータユニットがＢＳＳチャネルのうち最も低い１ＭＨｚサブバンドに配置される場合は常に、スケーリングダウンされるか、または、ゼロ設定されている。
【００５４】
別の実施形態によると、各低帯域幅モードデータユニットが、これに代えて、ＢＳＳチャネル内の一次チャネルの位置に関係なく、一次チャネル（または２ＭＨｚのＢＳＳチャネル）の上側の１ＭＨｚサブバンドで送信される。さらに別の実施形態によると、ＡＰ（例えば、図１のＡＰ１４）は、クライアントステーション（例えば、図１のクライアントステーション２５）に対して、ＢＳＳの一次チャネルだけでなく、複製されていない低帯域幅モードデータユニットがこのＢＳＳの一次チャネルの下側または上側のいずれの１ＭＨｚサブバンドで送信されるかも通知する。このように、これらの実施形態によると、ＢＳＳ内のクライアントステーションは、低帯域幅モードデータユニットが送信される周波数帯域を事前に知る。
【００５５】
図１１は、実施形態に係る、ＢＳＳチャネル内で送信される信号を生成するための方法５００の例を示すフローチャートである。ＢＳＳチャネルは、ＢＳＳチャネル帯域幅（例えば、実施形態によると２ＭＨｚ、４ＭＨｚ、８ＭＨｚまたは１６ＭＨｚ）を持ち、合計でＢＳＳチャネルと同一範囲となる一連の１または複数のコンポーネントチャネルから形成される。一部の実施形態および／またはシナリオによると、ＢＳＳチャネルを形成するコンポーネントチャネルのうち１つは、一次チャネルと指定される。さまざまな実施形態および／またはシナリオによると、方法５００は、図１のＡＰ１４のネットワークインターフェース１６またはクライアントステーション２５−１のネットワークインターフェース２７によって実施される。実施形態によると、方法５００は、送信すべき複数の独立した低帯域幅モードデータユニットのそれぞれについて繰り返される。
【００５６】
ブロック５１０において、ＢＳＳチャネルの少なくとも一部分で送信される１または複数の低帯域幅モードデータユニットの複製のうち、周波数における、第１の複製がＢＳＳチャネルのエッジに配置されるか否かを判断する。一部の実施形態および／またはシナリオによると、低帯域幅モードデータユニットの２個またはそれを超える複製が送信される（例えば、図４から図６および図８の実施形態および／またはシナリオ）。他の実施形態および／またはシナリオによると、低帯域幅モードデータユニットの複製は１つのみ送信される（例えば、図９および図１０の実施形態および／またはシナリオ）。このように、「複製」という用語は、本明細書で用いる場合、低帯域幅モードデータユニットの２個またはそれを超えるコピーを送信することを必ずしも意味するものではなく、低帯域幅モードデータユニットの２個またはそれを超えるコピーを生成することを必ずしも意味するものではない。低帯域幅モードデータユニットの各複製は、複数のＯＦＤＭトーン／サブキャリアを含む（例えば、実施形態によると１または複数のデータトーン、１または複数のパイロットトーン、および、１または複数のガードトーンを含む）。一実施形態によると、例えば、各複製は、図３のトーンマップ９０に示すものと同様のＯＦＤＭトーンを含む。低帯域幅モードデータユニットの各複製はさらに、最も帯域幅が狭いコンポーネントチャネルよりも狭い帯域幅を持つ。例えば、最も帯域幅が狭いコンポーネントチャネルの帯域幅が２ＭＨｚである一実施形態によると、低帯域幅モードデータユニットは１ＭＨｚの帯域幅である。
【００５７】
一部の実施形態および／またはシナリオによると、方法５００はさらに、ブロック５１０において、低帯域幅モードデータユニットの第２の複製がＢＳＳチャネルのエッジに配置されるか否かを判断する。一実施形態および／またはシナリオによると、例えば、方法５００は、ブロック５１０において、第１の複製はＢＳＳチャネルの下側エッジに配置され、第２の複製はＢＳＳチャネルの上側エッジに配置されると判断する。
【００５８】
ブロック５１０において第１の複製はＢＳＳチャネルのエッジに配置されると判断されると、フローはブロック５２０に進む。ブロック５２０において、送信信号が生成される。生成された送信信号は、低帯域幅モードデータユニットの１または複数の複製のそれぞれを含むので、ブロック５１０での判断処理の対象となった第１の複製（および、可能性として、第２の複製等）を少なくとも含むことになる。ブロック５２０において送信信号を生成することは、第１の複製の少なくとも１つのデータトーンをスケーリングダウンすること、および／または、第１の複製の少なくとも１つのデータトーンをゼロ設定することを含む。ブロック５１０において第１の複製がＢＳＳチャネルの上側エッジに配置されると判断される一実施形態および／またはシナリオによると、例えば、ブロック５２０において送信信号を生成することは、第１の複製の最も高い周波数のデータトーンのうち１または複数をスケーリングダウンすること、および／または、第１の複製の最も高い周波数のデータトーンのうち１または複数をゼロ設定することを含む。同様に、ブロック５１０において第１の複製はＢＳＳチャネルの下側エッジに配置されると判断される一実施形態および／またはシナリオによると、ブロック５２０において送信信号を生成することは、第１の複製の最も低い周波数のデータトーンのうち１または複数をスケーリングダウンすること、および／または、第１の複製の最も低い周波数のデータトーンのうち１または複数をゼロ設定することを含む。
【００５９】
方法５００が、ブロック５１０において、第１の複製がＢＳＳチャネルの下側エッジに配置され第２の複製がＢＳＳチャネルの上側エッジに配置されると判断する一実施形態および／またはシナリオによると、ブロック５２０において送信信号を生成することは、第１の複製の最も低い周波数のデータトーンのうち１または複数をスケーリングダウンまたはゼロ設定すること、および、第２の複製の最も高い周波数のデータトーンのうち１または複数をスケーリングダウンまたはゼロ設定すること（例えば、図８の実施形態およびシナリオ）を含む。他の実施形態および／またはシナリオによると、データトーンは、他の複製もＢＳＳチャネルのエッジに配置されるか否かに関係なく、第１の複製のみまたは第２の複製のみでスケーリングダウンおよび／またはゼロ設定される。一実施形態によると、例えば、低帯域幅モードデータユニットは、上側ガードトーンおよび下側ガードトーンの数が対称ではなく（例えば、図３のトーンマップ９０を参照のこと）、このため一部のシナリオでは、データトーンのスケーリングまたはゼロ設定は、ＢＳＳチャネルの上側エッジの複製についてのみ必要であったり、または、ＢＳＳチャネルの下側エッジの複製についてのみ必要であったりする場合がある。
【００６０】
一実施形態によると、２個または２個を超える複製が送信される場合、ブロック５２０において送信信号を生成することは、複数の複製のそれぞれを、異なる位相回転乗数で乗算することを含む（例えば、図６の実施形態およびシナリオにおける送信２００Ａまたは２００Ｂの例）。
【００６１】
一部の実施形態および／またはシナリオによると、ブロック５２０における送信信号の一部として生成される複製は、合計で、ＢＳＳチャネルと同一範囲である（つまり、ＢＳＳチャネル全体を占め、ＢＳＳチャネルを超えることはない）。他の実施形態および／またはシナリオによると、ブロック５２０における送信信号の一部として生成される複製は、合計で、ＢＳＳチャネル内の指定された一次チャネルと同一範囲である。
【００６２】
ブロック５１０において第１の複製がＢＳＳチャネルのエッジに配置されないと判断される場合、フローはブロック５３０に進む。ブロック５３０において、送信信号が生成される。生成された送信信号は、低帯域幅モードデータユニットの１または複数の複製のそれぞれを含むので、ブロック５１０における判断処理の対象となる少なくとも第１の複製（および、可能性として、第２の複製等）を含む。実施形態によると、ブロック５３０において送信信号を生成することは、第１の複製の任意のデータトーンをスケーリングダウンまたはゼロ設定することを含まない。一部の実施形態によると、ブロック５３０において送信信号を生成することは、送信している１または複数の複製のうちいずれかの複製の任意のデータトーンをスケーリングダウンすることまたはゼロ設定することを含まない。
【００６３】
一部の実施形態および／またはシナリオによると、方法５００は、図１１に示していないブロックを追加で含む。一実施形態によると、例えば、方法５００は、ブロック５１０の前に、データユニットが通常モードデータユニットまたは低帯域幅モードデータユニットのいずれであるかを判断するブロックを追加で含む。本実施形態によると、データユニットが低帯域幅モードデータユニットであると判断される場合、フローはブロック５１０に進むが、データユニットが通常モードデータユニットであると判断される場合、通常モードデータユニットを含む送信信号が方法５００のさらに別のブロックで生成される（当該ブロックも図１１には不図示）。通常モードデータユニットは、実施形態によると、ＢＳＳチャネル帯域幅と等しい帯域幅を持つ。
【００６４】
一実施形態によると、方法５００は、３２ポイントのＩＦＦＴを用いて１ＭＨｚ低帯域幅モードデータユニットの各複製を生成し（例えば、ブロック５２０および／またはブロック５３０）、６４ポイント、１２８ポイントまたは２５６ポイントのＩＦＦＴを用いて通常モードデータユニットを生成する。
【００６５】
図１２は、実施形態に応じた、ＢＳＳチャネル内で送信される信号を生成する方法６００の別の例を示すフローチャートである。方法６００は、一部の実施形態によると、方法５００と同様であってよく、低帯域幅モードデータユニットの少なくとも２つの複製が生成されて送信される実施形態および／またはシナリオを表す。ＢＳＳチャネルは、ＢＳＳチャネル帯域幅を持ち（例えば、実施形態によると２ＭＨｚ、４ＭＨｚ、８ＭＨｚまたは１６ＭＨｚ）、合計でＢＳＳチャネルと同一範囲となる一連の１または複数のコンポーネントチャネルから形成される。一部の実施形態および／またはシナリオによると、ＢＳＳチャネルを形成するコンポーネントチャネルのうち１つは、一次チャネルとして指定される。さまざまな実施形態および／またはシナリオによると、方法６００は、図１のＡＰ１４のネットワークインターフェース１６によって、または、クライアントステーション２５−１のネットワークインターフェース２７によって実施される。
【００６６】
ブロック６１０において、低帯域幅モードデータユニットの、周波数における、第１の複製を生成する。第１の複製は、実施形態によると、複数のＯＦＤＭトーンを含み（少なくともデータトーン、下側エッジガードトーンおよび上側エッジガードトーンを含む）、ＢＳＳチャネルを形成する一連のコンポーネントチャネルのうち最も帯域幅が狭いチャネルよりも小さい帯域幅を持つ。実施形態によると、第１の複製は、修正されていない低帯域幅モードデータユニットである（つまり、長距離通信プロトコルで定められている低帯域幅モードデータユニットと同一である）。実施形態によると、第１の複製は、上側エッジガードトーンよりも下側エッジガードトーンの方が多いか、または、その逆である。一実施形態によると、例えば、第１の複製は、図３のトーンマップ９０を持つ。
【００６７】
ブロック６２０において、低帯域幅モードデータユニットの、周波数における、第２の複製を生成する。第２の複製も、実施形態によると、複数のＯＦＤＭトーンを含み（少なくともデータトーン、下側エッジガードトーンおよび上側エッジガードトーンを含む）、ＢＳＳチャネルを形成する一連のコンポーネントチャネルのうち最も帯域幅が狭いチャネルよりも小さい帯域幅を持つ。一のシナリオによると、実施形態において、第２の複製のデータトーンは、最も高い周波数のデータトーンのうち１または複数が第２の複製についてスケーリングダウンまたはゼロ設定されていることを除き、ブロック６１０で生成した第１の複製のデータトーンと同じである（例えば、長距離通信プロトコルで定めた低帯域幅モードデータユニットと同一）。別のシナリオによると、本実施形態において、第２の複製のデータトーンは、第２の複製について最も低い周波数のデータトーンのうち１または複数をスケーリングダウンまたはゼロ設定することを除き、ブロック６１０において生成した第１の複製のデータトーンと同じである。最も低い周波数か、または、最も高い周波数のデータトーンのいずれが修正されるかは、さまざまな実施形態および／またはシナリオによると、第２の複製がＢＳＳチャネルの下側エッジまたは上側エッジのいずれに配置されるかに応じて、および／または、長距離通信プロトコルで定めている低帯域幅モードデータユニットが関連するエッジにおいて十分な数のガードトーンを持つか否かに応じて決まる。
【００６８】
ブロック６３０において、送信信号はＢＳＳチャネルの少なくとも一部分を用いて送信される。ブロック６３０において送信信号を送信することは、ＢＳＳチャネル内の第１のサブバンドを用いて第１の複製を送信することと、ＢＳＳチャネル内の第２のサブバンドを用いて第２の複製を送信することとを含む（例えば、ＢＳＳチャネルの２つの１ＭＨｚサブバンドにおいて）。異なる実施形態および／またはシナリオによると、第２のサブバンドは、ＢＳＳチャネルの上側エッジまたはＢＳＳチャネルの下側エッジに配置されている。
【００６９】
一の実施形態およびシナリオによると、ブロック６３０において送信信号を送信することは、ＢＳＳチャネルの一次チャネルと指定されているコンポーネントチャネル内の第１のサブバンドを用いて第１の複製を送信することと、一次チャネルと指定されているコンポーネントチャネル内の第２のサブバンドを用いて第２の複製を送信することとを含む。
【００７０】
図７または図８の実施形態およびシナリオを同一または同様の一の実施形態およびシナリオによると、第１の複製は、上側エッジガードトーンよりも下側エッジガードトーンの方が数が多く、第２の複製のデータトーンは、第１の複製のデータトーンと同じであるが、最も高い周波数のデータトーンのうち１または複数がスケーリングダウンされているか、または、ゼロ設定されている。この実施形態およびシナリオによると、ＢＳＳチャネル内の第２のサブバンド（第２の複製が送信されるサブバンド）は、ＢＳＳチャネルの上側エッジに配置されている。
【００７１】
一部の実施形態によると、方法６００は、更なる複製（第３の複製または第３および第４の複製等）を生成するブロックを追加で含む。追加で生成される複製は、ブロック６３０で送信される送信信号の一部である。これらの実施形態の一部では、２つの複製（つまり、第２の複製および第３の複製）は、第１の複製と比較して、データトーンをスケーリングおよび／またはゼロ設定する（つまり、ＢＳＳチャネルの下側エッジに配置されている一の複製、および、ＢＳＳチャネルの上側エッジに配置されている一の複製を修正する）ことによって修正する。
【００７２】
上述したさまざまなブロック、処理および技術のうち少なくとも一部は、ハードウェア、ファームウェア命令を実行するプロセッサ、ソフトウェア命令を実行するプロセッサまたはこれらの任意の組み合わせを利用して実施され得る。ソフトウェア命令またはファームウェア命令を実行するプロセッサを用いて実施する場合、ソフトウェア命令またはファームウェア命令は、磁気ディスク、光ディスクまたはその他の格納媒体、ＲＡＭまたはＲＯＭまたはフラッシュメモリ、プロセッサ、ハードディスクドライブ、光ディスクドライブ、テープドライブ等、任意のコンピュータ可読メモリに格納されているとしてよい。同様に、ソフトウェア命令またはファームウェア命令は、例えば、コンピュータ可読ディスクまたは他の輸送可能コンピュータ格納メカニズムを用いて、または、通信媒体を用いて、任意の公知または所望の配信方法を用いてユーザまたはシステムに配信されるとしてよい。通信媒体は通常、搬送波またはその他の輸送メカニズム等の変調されたデータ信号において、コンピュータ可読命令、データ構造、プログラムモジュールまたは他のデータを具現化する。「変調されたデータ信号」という用語は、信号の特性のうち１または複数が信号内に情報をエンコードするように設定または変更されている信号を意味する。一例として、これに限定されるものではないが、通信媒体は、有線ネットワークまたは直接有線接続等の有線媒体、および、音声、無線周波数、赤外線およびその他の無線媒体等の無線媒体を含む。このように、ソフトウェア命令またはファームウェア命令は、電話線、ＤＳＬライン、ケーブルテレビライン、光ファイバライン、無線通信チャネル、インターネット等の通信チャネルを介してユーザまたはシステムに配信されるとしてよい（これは、輸送可能格納媒体を用いて上記のようなソフトウェアを提供することと同義であると見なされる）。ソフトウェア命令またはファームウェア命令は、プロセッサによって実行されると、プロセッサにさまざまな動作を実行させる機械可読命令を含むとしてよい。
【００７３】
ハードウェアで実装される場合、当該ハードウェアは、ディスクリート素子、集積回路、特定用途向け集積回路（ＡＳＩＣ）等のうち１または複数を含むとしてよい。
【００７４】
本発明は具体例を参照しつつ説明しているが、具体例は一例に過ぎず本発明を限定するものではない。特許請求の範囲から逸脱することなく、開示された実施形態は変更、追加および／または削除され得る。
【図１】
2015512210.tif 000004
【図２】
2015512210.tif 000005
【図３】
2015512210.tif 000006
【図４】
2015512210.tif 000007
【図５】
2015512210.tif 000008
【図６】
2015512210.tif 000009
【図７】
2015512210.tif 000010
【図８】
2015512210.tif 000011
【図９】
2015512210.tif 000012
【図１０】
2015512210.tif 000013
【図１１】
2015512210.tif 000014
【図１２】
2015512210.tif 000015
【国際調査報告】
2015512210.tif 000016
2015512210.tif 000017